(57)【要約】【課題】マクロセルとスモールセルの機能分担において一方のセル基地局への負荷の集中の低減、マクロセル基地局とスモールセル基地局間のバックホールの要件の緩和を図る。【解決手段】ＵＥ３宛てのユーザプレーン信号の全てをスモールセル基地局２に送信し、該ＵＥ３宛てのユーザプレーン信号のうちＶｏＩＰ信号を該スモールセル基地局２からマクロセル基地局１に送信し、該ＶｏＩＰ信号を該マクロセル基地局１から該ＵＥ３に無線送信し、該ＵＥ３宛てのユーザプレーン信号のうちＶｏＩＰ信号以外のユーザプレーン信号をスモールセル基地局２から該ＵＥ３に無線送信する。【選択図】図４
2014220706.tif 000002
【特許請求の範囲】
【請求項１】
第１のセルと第２のセルのカバレッジが重複し、前記第１のセルの無線基地局装置と前記第２のセルの無線基地局装置との両方に無線接続できる無線端末装置を有する無線通信システムにおいて、
前記無線端末装置宛てのユーザプレーン信号の全てを前記第２のセルの無線基地局装置に送信し、
前記無線端末装置宛てのユーザプレーン信号のうち特定のユーザプレーン信号を前記第２のセルの無線基地局装置から前記第１のセルの無線基地局装置に送信し、前記特定のユーザプレーン信号を前記第１のセルの無線基地局装置から前記無線端末装置に無線送信し、
前記無線端末装置宛てのユーザプレーン信号のうち前記特定のユーザプレーン信号以外のユーザプレーン信号を前記第２のセルの無線基地局装置から前記無線端末装置に無線送信する、
ことを特徴とする無線通信システム。
【請求項２】
第１のセルと第２のセルのカバレッジが重複し、前記第１のセルの無線基地局装置と前記第２のセルの無線基地局装置との両方に無線接続できる無線端末装置を有する無線通信システムにおいて、
ユーザプレーン信号のうち特定のユーザプレーン信号を前記無線端末装置から前記第１のセルの無線基地局装置に無線送信し、前記特定のユーザプレーン信号を前記第１のセルの無線基地局装置から前記第２のセルの無線基地局装置に送信し、
前記特定のユーザプレーン信号以外のユーザプレーン信号を前記無線端末装置から前記第２のセルの無線基地局装置に無線送信し、
前記ユーザプレーン信号の全てを前記第２のセルの無線基地局装置からコアネットワークに送信する、
ことを特徴とする無線通信システム。
【請求項３】
第１のセルと第２のセルのカバレッジが重複し、前記第１のセルの無線基地局装置と前記第２のセルの無線基地局装置との両方に無線接続できる無線端末装置を有する無線通信システムにおいて、
第１の構成は、
前記無線端末装置宛てのユーザプレーン信号の全てを前記第２のセルの無線基地局装置に送信し、
前記無線端末装置宛てのユーザプレーン信号のうち特定のユーザプレーン信号を前記第２のセルの無線基地局装置から前記第１のセルの無線基地局装置に送信し、前記特定のユーザプレーン信号を前記第１のセルの無線基地局装置から前記無線端末装置に無線送信し、
前記無線端末装置宛てのユーザプレーン信号のうち前記特定のユーザプレーン信号以外のユーザプレーン信号を前記第２のセルの無線基地局装置から前記無線端末装置に無線送信するものであり、
第２の構成は、
前記無線端末装置宛てのユーザプレーン信号の全てを前記第１のセルの無線基地局装置に送信し、
前記無線端末装置宛てのユーザプレーン信号のうち前記特定のユーザプレーン信号を前記第１のセルの無線基地局装置から前記無線端末装置に無線送信し、
前記無線端末装置宛てのユーザプレーン信号のうち前記特定のユーザプレーン信号以外のユーザプレーン信号を前記第１のセルの無線基地局装置から前記第２のセルの無線基地局装置に送信し、前記特定のユーザプレーン信号以外のユーザプレーン信号を前記第２のセルの無線基地局装置から前記無線端末装置に無線送信するものであり、
前記第１の構成または前記第２の構成のいずれかの構成を前記無線端末装置に使用する、
ことを特徴とする無線通信システム。
【請求項４】
第１のセルと第２のセルのカバレッジが重複し、前記第１のセルの無線基地局装置と前記第２のセルの無線基地局装置との両方に無線接続できる無線端末装置を有する無線通信システムにおいて、
第１の構成は、
ユーザプレーン信号のうち特定のユーザプレーン信号を前記無線端末装置から前記第１のセルの無線基地局装置に無線送信し、前記特定のユーザプレーン信号を前記第１のセルの無線基地局装置から前記第２のセルの無線基地局装置に送信し、
前記特定のユーザプレーン信号以外のユーザプレーン信号を前記無線端末装置から前記第２のセルの無線基地局装置に無線送信し、
前記ユーザプレーン信号の全てを前記第２のセルの無線基地局装置からコアネットワークに送信するものであり、
第２の構成は、
前記特定のユーザプレーン信号を前記無線端末装置から前記第１のセルの無線基地局装置に無線送信し、
前記特定のユーザプレーン信号以外のユーザプレーン信号を前記無線端末装置から前記第２のセルの無線基地局装置に無線送信し、前記特定のユーザプレーン信号以外のユーザプレーン信号を前記第２のセルの無線基地局装置から前記第１のセルの無線基地局装置に送信し、
前記ユーザプレーン信号の全てを前記第１のセルの無線基地局装置からコアネットワークに送信するものであり、
前記第１の構成または前記第２の構成のいずれかの構成を前記無線端末装置に使用する、
ことを特徴とする無線通信システム。
【請求項５】
前記第１のセルはマクロセルであり、前記第２のセルはスモールセルであることを特徴とする請求項３又は４のいずれか１項に記載の無線通信システム。
【請求項６】
前記無線端末装置の移動の状態に応じて、前記第１の構成または前記第２の構成のいずれかの構成を使用するのかを決定することを特徴とする請求項５に記載の無線通信システム。
【請求項７】
移動と判断されなかった前記無線端末装置に前記第１の構成を使用し、移動と判断された前記無線端末装置に前記第２の構成を使用することを特徴とする請求項６に記載の無線通信システム。
【請求項８】
前記特定のユーザプレーン信号は、特定のＱｏＳが指定されたユーザプレーン信号であることを特徴とする請求項１から７のいずれか１項に記載の無線通信システム。
【請求項９】
前記第１のセルの無線基地局装置と前記第２のセルの無線基地局装置間で、ユーザプレーンにおいて双方向でＱｏＳに基づいたデータ転送を行うことを特徴とする請求項８に記載の無線通信システム。
【請求項１０】
前記特定のユーザプレーン信号は、ＶｏＩＰ通信の信号であることを特徴とする請求項１から９のいずれか１項に記載の無線通信システム。
【請求項１１】
第１のセルと第２のセルのカバレッジが重複し、前記第１のセルの無線基地局装置と前記第２のセルの無線基地局装置との両方に無線接続できる無線端末装置を有する無線通信システムにおける前記第２のセルの無線基地局装置において、
前記無線端末装置宛てのユーザプレーン信号の全てをコアネットワークから受信し、
前記無線端末装置宛てのユーザプレーン信号のうち特定のユーザプレーン信号を前記第１のセルの無線基地局装置に送信し、
前記無線端末装置宛てのユーザプレーン信号のうち前記特定のユーザプレーン信号以外のユーザプレーン信号を前記無線端末装置に無線送信する、
ことを特徴とする無線基地局装置。
【請求項１２】
第１のセルと第２のセルのカバレッジが重複し、前記第１のセルの無線基地局装置と前記第２のセルの無線基地局装置との両方に無線接続できる無線端末装置を有する無線通信システムにおける前記第２のセルの無線基地局装置において、
前記無線端末装置からのユーザプレーン信号のうち特定のユーザプレーン信号を前記第１のセルの無線基地局装置経由で受信し、
前記無線端末装置からのユーザプレーン信号のうち前記特定のユーザプレーン信号以外のユーザプレーン信号を前記無線端末装置から無線受信し、
前記無線端末装置からの前記ユーザプレーン信号の全てをコアネットワークに送信する、
ことを特徴とする無線基地局装置。
【請求項１３】
第１のセルと第２のセルのカバレッジが重複し、前記第１のセルの無線基地局装置と前記第２のセルの無線基地局装置との両方に無線接続できる無線端末装置を有する無線通信システムにおける前記第１のセルの無線基地局装置において、
前記無線端末装置宛てのユーザプレーン信号のうち特定のユーザプレーン信号を、前記無線端末装置宛てのユーザプレーン信号の全てをコアネットワークから受信する前記第２のセルの無線基地局装置から受信し、前記特定のユーザプレーン信号を前記無線端末装置に無線送信する、
ことを特徴とする無線基地局装置。
【請求項１４】
第１のセルと第２のセルのカバレッジが重複し、前記第１のセルの無線基地局装置と前記第２のセルの無線基地局装置との両方に無線接続できる無線端末装置を有する無線通信システムにおける前記第１のセルの無線基地局装置において、
前記無線端末装置からのユーザプレーン信号のうち特定のユーザプレーン信号を前記無線端末装置から無線受信し、前記特定のユーザプレーン信号を、前記無線端末装置からのユーザプレーン信号の全てをコアネットワークに送信する前記第２のセルの無線基地局装置に送信する、
ことを特徴とする無線基地局装置。
【請求項１５】
前記第１のセルはマクロセルであり、前記第２のセルはスモールセルであることを特徴とする請求項１１から１４のいずれか１項に記載の無線基地局装置。
【請求項１６】
前記無線端末装置は移動と判断されなかったものであることを特徴とする請求項１５に記載の無線基地局装置。
【請求項１７】
第１のセルと第２のセルのカバレッジが重複し、前記第１のセルの無線基地局装置と前記第２のセルの無線基地局装置との両方に無線接続できる無線端末装置を有する無線通信システムにおける前記第１のセルの無線基地局装置において、
前記無線端末装置宛てのユーザプレーン信号の全てをコアネットワークから受信し、
前記無線端末装置宛てのユーザプレーン信号のうち特定のユーザプレーン信号を前記無線端末装置に無線送信し、
前記無線端末装置宛てのユーザプレーン信号のうち前記特定のユーザプレーン信号以外のユーザプレーン信号を前記第２のセルの無線基地局装置に送信する、
ことを特徴とする無線基地局装置。
【請求項１８】
第１のセルと第２のセルのカバレッジが重複し、前記第１のセルの無線基地局装置と前記第２のセルの無線基地局装置との両方に無線接続できる無線端末装置を有する無線通信システムにおける前記第１のセルの無線基地局装置において、
前記無線端末装置からのユーザプレーン信号のうち特定のユーザプレーン信号以外のユーザプレーン信号を前記第２のセルの無線基地局装置経由で受信し、
前記無線端末装置からのユーザプレーン信号のうち前記特定のユーザプレーン信号を前記無線端末装置から無線受信し、
前記無線端末装置からの前記ユーザプレーン信号の全てをコアネットワークに送信する、
ことを特徴とする無線基地局装置。
【請求項１９】
第１のセルと第２のセルのカバレッジが重複し、前記第１のセルの無線基地局装置と前記第２のセルの無線基地局装置との両方に無線接続できる無線端末装置を有する無線通信システムにおける前記第２のセルの無線基地局装置において、
前記無線端末装置宛てのユーザプレーン信号のうち特定のユーザプレーン信号以外のユーザプレーン信号を、前記無線端末装置宛てのユーザプレーン信号の全てをコアネットワークから受信する前記第１のセルの無線基地局装置から受信し、前記特定のユーザプレーン信号以外のユーザプレーン信号を前記無線端末装置に無線送信する、
ことを特徴とする無線基地局装置。
【請求項２０】
第１のセルと第２のセルのカバレッジが重複し、前記第１のセルの無線基地局装置と前記第２のセルの無線基地局装置との両方に無線接続できる無線端末装置を有する無線通信システムにおける前記第２のセルの無線基地局装置において、
前記無線端末装置からのユーザプレーン信号のうち特定のユーザプレーン信号以外のユーザプレーン信号を前記無線端末装置から無線受信し、前記特定のユーザプレーン信号以外のユーザプレーン信号を、前記無線端末装置からのユーザプレーン信号の全てをコアネットワークに送信する前記第１のセルの無線基地局装置に送信する、
ことを特徴とする無線基地局装置。
【請求項２１】
前記第１のセルはマクロセルであり、前記第２のセルはスモールセルであることを特徴とする請求項１７から２０のいずれか１項に記載の無線基地局装置。
【請求項２２】
前記無線端末装置は移動と判断されたものであることを特徴とする請求項２１に記載の無線基地局装置。
【請求項２３】
前記特定のユーザプレーン信号は、特定のＱｏＳが指定されたユーザプレーン信号であることを特徴とする請求項１１から２２のいずれか１項に記載の無線基地局装置。
【請求項２４】
前記第１のセルの無線基地局装置と前記第２のセルの無線基地局装置間で、ユーザプレーンにおいて双方向でＱｏＳに基づいたデータ転送を行う基地局間通信部を備えたことを特徴とする請求項２３に記載の無線基地局装置。
【請求項２５】
前記特定のユーザプレーン信号は、ＶｏＩＰ通信の信号であることを特徴とする請求項１１から２４のいずれか１項に記載の無線基地局装置。
【発明の詳細な説明】
【技術分野】
【０００１】
本発明は、無線通信システムおよび無線基地局装置に関する。
【背景技術】
【０００２】
近年、ＨｅｔＮｅｔ（Heterogeneous Network）と呼ばれる無線通信ネットワークにおいて、マクロセル（Macro cell）とスモールセル（Small cell）の機能分担技術が検討されている。図１１にＨｅｔＮｅｔの構成例を示す。図１１において、マクロセルは、比較的低い周波数帯を利用し、カバレッジ（通信サービスを提供可能な範囲）が広い。スモールセルは、カバレッジがマクロセルのカバレッジに重複して配置され、比較的高い周波数帯を利用し、カバレッジが狭い。マクロセルとスモールセルの機能分担技術として、例えば非特許文献１に記載の従来技術では、マクロセルがスモールセルの制御プレーン（Control- plane：C-plane）を担当している。
【０００３】
図１２に従来のプロトコル構成例を示す。図１２は、３ＧＰＰ（3rd Generation Partnership Project）で標準化作業が進められているＬＴＥ（Long Term Evolution）と呼ばれる無線通信方式のプロトコル構成の概略図である。図１２において、ユーザの無線端末装置（UE：User Equipment）は、スモールセルに在圏しており、マクロセルの無線基地局装置（以下、マクロセル基地局と称する）及びスモールセルの無線基地局装置（以下、スモールセル基地局と称する）の両方に無線接続できる。スモールセル基地局に無線接続するＵＥ宛てのユーザプレーン（User- plane：U-plane）信号は、マクロセル基地局を経由してスモールセル基地局へ送られてから、該スモールセル基地局から無線送信される。一方、スモールセル基地局に無線接続するＵＥ宛ての制御プレーン信号は、マクロセル基地局から無線送信される。ＬＴＥのプロトコル構成は、例えば非特許文献２に記載されている。
【先行技術文献】
【非特許文献】
【０００４】
【非特許文献１】ベンジャブールアナス，岸山祥久，石井啓之，中村武宏，“Conceptual Views and Radio Access Technologies for Future Evolution of LTE-A”，信学技報，vol. 112，no. 192，RCS2012-100，pp. 25-30，2012年8月
【非特許文献２】大久保尚人，ウメシュアニール，岩村幹生，新博行，“LTEサービス「Xi」（クロッシィ）特集 −スマートイノベーションへの挑戦−  高速・大容量・低遅延を実現するLTEの無線方式概要”，NTT DOCOMO テクニカル・ジャーナル，VOL.19 NO.1，2011年4月
【発明の概要】
【発明が解決しようとする課題】
【０００５】
しかし、上述した従来のマクロセルとスモールセルの機能分担技術では、スモールセル基地局に無線接続するＵＥへ無線送信されるユーザプレーン信号及び制御プレーン信号は、両信号ともマクロセル基地局を経由する。このため、マクロセル基地局にかかる負荷が大きくなる。また、スモールセル基地局に無線接続するＵＥ宛ての大容量ユーザプレーン信号がマクロセル基地局からスモールセル基地局に転送されるため、マクロセル基地局とスモールセル基地局間に大容量で低遅延のバックホールが必要となり、スモールセルの普及が難くなる。
【０００６】
本発明は、このような事情を考慮してなされたもので、第１のセルと第２のセルのカバレッジが重複する場合の第１のセルと第２のセルの機能分担において一方のセル基地局への負荷の集中を低減できる、また、第１のセル基地局と第２のセル基地局間のバックホールの要件を緩和できる無線通信システムおよび無線基地局装置を提供することを課題とする。
【課題を解決するための手段】
【０００７】
（１）本発明に係る無線通信システムは、第１のセルと第２のセルのカバレッジが重複し、前記第１のセルの無線基地局装置と前記第２のセルの無線基地局装置との両方に無線接続できる無線端末装置を有する無線通信システムにおいて、前記無線端末装置宛てのユーザプレーン信号の全てを前記第２のセルの無線基地局装置に送信し、前記無線端末装置宛てのユーザプレーン信号のうち特定のユーザプレーン信号を前記第２のセルの無線基地局装置から前記第１のセルの無線基地局装置に送信し、前記特定のユーザプレーン信号を前記第１のセルの無線基地局装置から前記無線端末装置に無線送信し、前記無線端末装置宛てのユーザプレーン信号のうち前記特定のユーザプレーン信号以外のユーザプレーン信号を前記第２のセルの無線基地局装置から前記無線端末装置に無線送信する、ことを特徴とする。
【０００８】
（２）本発明に係る無線通信システムは、第１のセルと第２のセルのカバレッジが重複し、前記第１のセルの無線基地局装置と前記第２のセルの無線基地局装置との両方に無線接続できる無線端末装置を有する無線通信システムにおいて、ユーザプレーン信号のうち特定のユーザプレーン信号を前記無線端末装置から前記第１のセルの無線基地局装置に無線送信し、前記特定のユーザプレーン信号を前記第１のセルの無線基地局装置から前記第２のセルの無線基地局装置に送信し、前記特定のユーザプレーン信号以外のユーザプレーン信号を前記無線端末装置から前記第２のセルの無線基地局装置に無線送信し、前記ユーザプレーン信号の全てを前記第２のセルの無線基地局装置からコアネットワークに送信する、ことを特徴とする。
【０００９】
（３）本発明に係る無線通信システムは、第１のセルと第２のセルのカバレッジが重複し、前記第１のセルの無線基地局装置と前記第２のセルの無線基地局装置との両方に無線接続できる無線端末装置を有する無線通信システムにおいて、第１の構成は、前記無線端末装置宛てのユーザプレーン信号の全てを前記第２のセルの無線基地局装置に送信し、前記無線端末装置宛てのユーザプレーン信号のうち特定のユーザプレーン信号を前記第２のセルの無線基地局装置から前記第１のセルの無線基地局装置に送信し、前記特定のユーザプレーン信号を前記第１のセルの無線基地局装置から前記無線端末装置に無線送信し、前記無線端末装置宛てのユーザプレーン信号のうち前記特定のユーザプレーン信号以外のユーザプレーン信号を前記第２のセルの無線基地局装置から前記無線端末装置に無線送信するものであり、第２の構成は、前記無線端末装置宛てのユーザプレーン信号の全てを前記第１のセルの無線基地局装置に送信し、前記無線端末装置宛てのユーザプレーン信号のうち前記特定のユーザプレーン信号を前記第１のセルの無線基地局装置から前記無線端末装置に無線送信し、前記無線端末装置宛てのユーザプレーン信号のうち前記特定のユーザプレーン信号以外のユーザプレーン信号を前記第１のセルの無線基地局装置から前記第２のセルの無線基地局装置に送信し、前記特定のユーザプレーン信号以外のユーザプレーン信号を前記第２のセルの無線基地局装置から前記無線端末装置に無線送信するものであり、前記第１の構成または前記第２の構成のいずれかの構成を前記無線端末装置に使用する、ことを特徴とする。
【００１０】
（４）本発明に係る無線通信システムは、第１のセルと第２のセルのカバレッジが重複し、前記第１のセルの無線基地局装置と前記第２のセルの無線基地局装置との両方に無線接続できる無線端末装置を有する無線通信システムにおいて、第１の構成は、ユーザプレーン信号のうち特定のユーザプレーン信号を前記無線端末装置から前記第１のセルの無線基地局装置に無線送信し、前記特定のユーザプレーン信号を前記第１のセルの無線基地局装置から前記第２のセルの無線基地局装置に送信し、前記特定のユーザプレーン信号以外のユーザプレーン信号を前記無線端末装置から前記第２のセルの無線基地局装置に無線送信し、前記ユーザプレーン信号の全てを前記第２のセルの無線基地局装置からコアネットワークに送信するものであり、第２の構成は、前記特定のユーザプレーン信号を前記無線端末装置から前記第１のセルの無線基地局装置に無線送信し、前記特定のユーザプレーン信号以外のユーザプレーン信号を前記無線端末装置から前記第２のセルの無線基地局装置に無線送信し、前記特定のユーザプレーン信号以外のユーザプレーン信号を前記第２のセルの無線基地局装置から前記第１のセルの無線基地局装置に送信し、前記ユーザプレーン信号の全てを前記第１のセルの無線基地局装置からコアネットワークに送信するものであり、前記第１の構成または前記第２の構成のいずれかの構成を前記無線端末装置に使用する、ことを特徴とする。
【００１１】
（５）本発明に係る無線通信システムは、上記（３）又は（４）のいずれかの無線通信システムにおいて、前記第１のセルはマクロセルであり、前記第２のセルはスモールセルであることを特徴とする。
【００１２】
（６）本発明に係る無線通信システムは、上記（５）の無線通信システムにおいて、前記無線端末装置の移動の状態に応じて、前記第１の構成または前記第２の構成のいずれかの構成を使用するのかを決定することを特徴とする。
【００１３】
（７）本発明に係る無線通信システムは、上記（６）の無線通信システムにおいて、移動と判断されなかった前記無線端末装置に前記第１の構成を使用し、移動と判断された前記無線端末装置に前記第２の構成を使用することを特徴とする。
【００１４】
（８）本発明に係る無線通信システムは、上記（１）から（７）のいずれかの無線通信システムにおいて、前記特定のユーザプレーン信号は、特定のＱｏＳが指定されたユーザプレーン信号であることを特徴とする。
【００１５】
（９）本発明に係る無線通信システムは、上記（８）の無線通信システムにおいて、前記第１のセルの無線基地局装置と前記第２のセルの無線基地局装置間で、ユーザプレーンにおいて双方向でＱｏＳに基づいたデータ転送を行うことを特徴とする。
【００１６】
（１０）本発明に係る無線通信システムは、上記（１）から（９）のいずれかの無線通信システムにおいて、前記特定のユーザプレーン信号は、ＶｏＩＰ通信の信号であることを特徴とする。
【００１７】
（１１）本発明に係る無線基地局装置は、第１のセルと第２のセルのカバレッジが重複し、前記第１のセルの無線基地局装置と前記第２のセルの無線基地局装置との両方に無線接続できる無線端末装置を有する無線通信システムにおける前記第２のセルの無線基地局装置において、前記無線端末装置宛てのユーザプレーン信号の全てをコアネットワークから受信し、前記無線端末装置宛てのユーザプレーン信号のうち特定のユーザプレーン信号を前記第１のセルの無線基地局装置に送信し、前記無線端末装置宛てのユーザプレーン信号のうち前記特定のユーザプレーン信号以外のユーザプレーン信号を前記無線端末装置に無線送信する、ことを特徴とする。
【００１８】
（１２）本発明に係る無線基地局装置は、第１のセルと第２のセルのカバレッジが重複し、前記第１のセルの無線基地局装置と前記第２のセルの無線基地局装置との両方に無線接続できる無線端末装置を有する無線通信システムにおける前記第２のセルの無線基地局装置において、前記無線端末装置からのユーザプレーン信号のうち特定のユーザプレーン信号を前記第１のセルの無線基地局装置経由で受信し、前記無線端末装置からのユーザプレーン信号のうち前記特定のユーザプレーン信号以外のユーザプレーン信号を前記無線端末装置から無線受信し、前記無線端末装置からの前記ユーザプレーン信号の全てをコアネットワークに送信する、ことを特徴とする。
【００１９】
（１３）本発明に係る無線基地局装置は、第１のセルと第２のセルのカバレッジが重複し、前記第１のセルの無線基地局装置と前記第２のセルの無線基地局装置との両方に無線接続できる無線端末装置を有する無線通信システムにおける前記第１のセルの無線基地局装置において、前記無線端末装置宛てのユーザプレーン信号のうち特定のユーザプレーン信号を、前記無線端末装置宛てのユーザプレーン信号の全てをコアネットワークから受信する前記第２のセルの無線基地局装置から受信し、前記特定のユーザプレーン信号を前記無線端末装置に無線送信する、ことを特徴とする。
【００２０】
（１４）本発明に係る無線基地局装置は、第１のセルと第２のセルのカバレッジが重複し、前記第１のセルの無線基地局装置と前記第２のセルの無線基地局装置との両方に無線接続できる無線端末装置を有する無線通信システムにおける前記第１のセルの無線基地局装置において、前記無線端末装置からのユーザプレーン信号のうち特定のユーザプレーン信号を前記無線端末装置から無線受信し、前記特定のユーザプレーン信号を、前記無線端末装置からのユーザプレーン信号の全てをコアネットワークに送信する前記第２のセルの無線基地局装置に送信する、ことを特徴とする。
【００２１】
（１５）本発明に係る無線基地局装置は、上記（１１）から（１４）のいずれかの無線基地局装置において、前記第１のセルはマクロセルであり、前記第２のセルはスモールセルであることを特徴とする。
【００２２】
（１６）本発明に係る無線基地局装置は、上記（１５）の無線基地局装置において、前記無線端末装置は移動と判断されなかったものであることを特徴とする
【００２３】
（１７）本発明に係る無線基地局装置は、第１のセルと第２のセルのカバレッジが重複し、前記第１のセルの無線基地局装置と前記第２のセルの無線基地局装置との両方に無線接続できる無線端末装置を有する無線通信システムにおける前記第１のセルの無線基地局装置において、前記無線端末装置宛てのユーザプレーン信号の全てをコアネットワークから受信し、前記無線端末装置宛てのユーザプレーン信号のうち特定のユーザプレーン信号を前記無線端末装置に無線送信し、前記無線端末装置宛てのユーザプレーン信号のうち前記特定のユーザプレーン信号以外のユーザプレーン信号を前記第２のセルの無線基地局装置に送信する、ことを特徴とする。
【００２４】
（１８）本発明に係る無線基地局装置は、第１のセルと第２のセルのカバレッジが重複し、前記第１のセルの無線基地局装置と前記第２のセルの無線基地局装置との両方に無線接続できる無線端末装置を有する無線通信システムにおける前記第１のセルの無線基地局装置において、前記無線端末装置からのユーザプレーン信号のうち特定のユーザプレーン信号以外のユーザプレーン信号を前記第２のセルの無線基地局装置経由で受信し、前記無線端末装置からのユーザプレーン信号のうち前記特定のユーザプレーン信号を前記無線端末装置から無線受信し、前記無線端末装置からの前記ユーザプレーン信号の全てをコアネットワークに送信する、ことを特徴とする。
【００２５】
（１９）本発明に係る無線基地局装置は、第１のセルと第２のセルのカバレッジが重複し、前記第１のセルの無線基地局装置と前記第２のセルの無線基地局装置との両方に無線接続できる無線端末装置を有する無線通信システムにおける前記第２のセルの無線基地局装置において、前記無線端末装置宛てのユーザプレーン信号のうち特定のユーザプレーン信号以外のユーザプレーン信号を、前記無線端末装置宛てのユーザプレーン信号の全てをコアネットワークから受信する前記第１のセルの無線基地局装置から受信し、前記特定のユーザプレーン信号以外のユーザプレーン信号を前記無線端末装置に無線送信する、ことを特徴とする無線基地局装置。
【００２６】
（２０）本発明に係る無線基地局装置は、第１のセルと第２のセルのカバレッジが重複し、前記第１のセルの無線基地局装置と前記第２のセルの無線基地局装置との両方に無線接続できる無線端末装置を有する無線通信システムにおける前記第２のセルの無線基地局装置において、前記無線端末装置からのユーザプレーン信号のうち特定のユーザプレーン信号以外のユーザプレーン信号を前記無線端末装置から無線受信し、前記特定のユーザプレーン信号以外のユーザプレーン信号を、前記無線端末装置からのユーザプレーン信号の全てをコアネットワークに送信する前記第１のセルの無線基地局装置に送信する、ことを特徴とする。
【００２７】
（２１）本発明に係る無線基地局装置は、上記（１７）から（２０）のいずれかの無線基地局装置において、前記第１のセルはマクロセルであり、前記第２のセルはスモールセルであることを特徴とする。
【００２８】
（２２）本発明に係る無線基地局装置は、上記（２１）の無線基地局装置において、前記無線端末装置は移動と判断されたものであることを特徴とする。
【００２９】
（２３）本発明に係る無線基地局装置は、上記（１１）から（２２）のいずれかの無線基地局装置において、前記特定のユーザプレーン信号は、特定のＱｏＳが指定されたユーザプレーン信号であることを特徴とする。
【００３０】
（２４）本発明に係る無線基地局装置は、上記（２３）の無線基地局装置において、前記第１のセルの無線基地局装置と前記第２のセルの無線基地局装置間で、ユーザプレーンにおいて双方向でＱｏＳに基づいたデータ転送を行う基地局間通信部を備えたことを特徴とする。
【００３１】
（２５）本発明に係る無線基地局装置は、上記（１１）から（２４）のいずれかの無線基地局装置において、前記特定のユーザプレーン信号は、ＶｏＩＰ通信の信号であることを特徴とする。
【発明の効果】
【００３２】
本発明によれば、第１のセルと第２のセルのカバレッジが重複する場合の第１のセルと第２のセルの機能分担において一方のセル基地局への負荷の集中を低減できるという効果が得られる。また、第１のセル基地局と第２のセル基地局間のバックホールの要件を緩和できるという効果が得られる。
【図面の簡単な説明】
【００３３】
【図１】本発明の一実施形態に係る無線通信システムの概略構成図である。
【図２】本発明の一実施形態に係るマクロセル基地局１及びスモールセル基地局２の構成例を示すブロック図である。
【図３】本発明の一実施形態に係るＵＥ３の構成例を示すブロック図である。
【図４】本発明に係る無線通信システムの実施例１の動作を説明するための説明図である。
【図５】本発明に係る無線通信システムの実施例１の処理の流れを示すシーケンスチャートである。
【図６】本発明に係る無線通信システムの実施例１の処理の流れを示すシーケンスチャートである。
【図７】本発明に係る無線通信システムの実施例２の動作を説明するための説明図である。
【図８】図７に示される無線通信システムの処理の流れを示すシーケンスチャートである。
【図９】図７に示される無線通信システムの処理の流れを示すシーケンスチャートである。
【図１０】本発明に係る無線通信システムの実施例２の処理のフローチャートである。
【図１１】ＨｅｔＮｅｔの構成例を説明するための説明図である。
【図１２】従来のＨｅｔＮｅｔの動作を説明するための説明図である。
【発明を実施するための形態】
【００３４】
以下、図面を参照し、本発明の実施形態について説明する。本実施形態では、無線通信方式の一例としてＬＴＥを挙げて説明する。
【００３５】
図１は、本発明の一実施形態に係る無線通信システムの概略構成図である。図１において、マクロセル基地局１およびスモールセル基地局２は、コアネットワーク４に接続されている。コアネットワーク４は、Ｓ−ＧＷ（Serving-Gateway）５およびＭＭＥ（Mobility Management Entity）６を有する。マクロセル基地局１およびスモールセル基地局２は、コアネットワーク４のＳ−ＧＷ５およびＭＭＥ６と通信する。
【００３６】
スモールセル基地局２のスモールセルのカバレッジは、マクロセル基地局１のカバレッジと重複している。マクロセルとスモールセルとは異なる周波数帯を利用する。マクロセルは、比較的低い周波数帯を利用し、カバレッジが広い。スモールセルは、比較的高い周波数帯を利用し、カバレッジが狭い。スモールセルに在圏するＵＥ３は、マクロセル基地局１及びスモールセル基地局２の両方に対して無線接続できる。
【００３７】
図２は、本実施形態に係るマクロセル基地局１及びスモールセル基地局２の構成例を示すブロック図である。図２において、コアネットワーク通信部１１、無線通信部１２、制御部１３、記憶部１４および基地局間通信部１５は、相互にデータを送受できるように接続されている。コアネットワーク通信部１１は、コアネットワーク４のＳ−ＧＷ５およびＭＭＥ６と通信する。無線通信部１２はＵＥ３と無線通信する。基地局間通信部１５は、他の基地局と通信する。制御部１３は基地局に係る動作の制御を行う。記憶部１４はデータを格納する。
【００３８】
図３は、本実施形態に係るＵＥ３の構成例を示すブロック図である。図３において、無線通信部３１、制御部３２、記憶部３３、操作部３４及び表示部３５は相互にデータを送受できるように接続されている。無線通信部３１は、マクロセルに在圏する時には、マクロセル基地局１に無線接続できる。又、無線通信部３１は、スモールセルに在圏する時には、マクロセル基地局１及びスモールセル基地局２の両方に無線接続できる。無線通信部３１は、無線接続している基地局を介して、他の装置と通信する。
【００３９】
制御部３２はＵＥ３に係る動作の制御を行う。記憶部３３はデータを格納する。操作部３４は、キーボード、テンキー、マウス等の入力デバイスを有し、ユーザの操作に応じたデータ入力を行う。表示部３５は、液晶表示装置等の表示デバイスを有し、データ表示を行う。
【００４０】
次に、本実施形態に係る無線通信システムの動作について実施例を挙げて説明する。なお、本実施形態において、ＵＥ３宛ての信号の送信方法は、ユニキャスト、マルチキャストまたはブロードキャストのいずれでもよい。
【実施例１】
【００４１】
図４は、本実施形態に係る無線通信システムの実施例１の動作を説明するための説明図である。図５および図６は、本実施形態に係る無線通信システムの実施例１の処理の流れを示すシーケンスチャートである。
【００４２】
初めに、図４を参照して実施例１に係る信号の流れを説明する。図４において、ＵＥ３は、スモールセルに在圏しており、マクロセル基地局１及びスモールセル基地局２の両方に無線接続できる。Ｓ−ＧＷ５は、ＵＥ３宛てのユーザプレーン信号の全てを、Ｓ１−Ｕインタフェースを介してスモールセル基地局２に送信する。
【００４３】
スモールセル基地局２は、Ｓ−ＧＷ５からＳ１−Ｕインタフェースを介して受信したＵＥ３宛てのユーザプレーン信号のうち、特定のユーザプレーン信号をマクロセル基地局１へ送信する。該特定のユーザプレーン信号としては、例えば、特定のＱｏＳ（Quality of Service）が指定されたユーザプレーン信号が挙げられる。該特定のＱｏＳが指定されたユーザプレーン信号としては、例えば、ＶｏＩＰ（Voice over Internet Protocol）通信の信号（ＶｏＩＰ信号）が挙げられる。
【００４４】
マクロセル基地局１は、スモールセル基地局２から受信したＵＥ３宛ての特定のユーザプレーン信号を該ＵＥ３に無線送信する。スモールセル基地局２は、Ｓ−ＧＷ５からＳ１−Ｕインタフェースを介して受信したＵＥ３宛てのユーザプレーン信号のうち、該特定のユーザプレーン信号以外のユーザプレーン信号を該ＵＥ３に無線送信する。
【００４５】
本実施例１では、特定のユーザプレーン信号の一例として、ＶｏＩＰ信号を挙げて説明する。
【００４６】
図４に示されるように、スモールセル基地局２は、Ｓ−ＧＷ５からＳ１−Ｕインタフェースを介して受信したＵＥ３宛てのユーザプレーン信号のうち、ＶｏＩＰ信号をマクロセル基地局１へ送信する。マクロセル基地局１は、スモールセル基地局２から受信したＵＥ３宛てのＶｏＩＰ信号を該ＵＥ３に無線送信する。スモールセル基地局２は、Ｓ−ＧＷ５からＳ１−Ｕインタフェースを介して受信したＵＥ３宛てのユーザプレーン信号のうち、ＶｏＩＰ信号以外のユーザプレーン信号を該ＵＥ３に無線送信する。
【００４７】
スモールセル基地局２とマクロセル基地局１の間のプロトコル構成としては、以下に示すプロトコル構成例１−１、１−２、１−３が挙げられる。
【００４８】
（プロトコル構成例１−１）
スモールセル基地局２のＰＤＣＰ（Packet Data Convergence Protocol）レイヤへの入力データ（ＳＤＵ（Service Data Unit））の段階で、特定のユーザプレーン信号をマクロセル基地局１へ振り分ける。
【００４９】
（プロトコル構成例１−２）
スモールセル基地局２のＰＤＣＰレイヤからの出力データ（ＰＤＵ（Protocol Data Unit））の段階で、特定のユーザプレーン信号をマクロセル基地局１へ振り分ける。図４には、このプロトコル構成例１−２を示している。
【００５０】
（プロトコル構成例１−３）
スモールセル基地局２のＲＬＣ（Radio Link Control）レイヤからの出力データ（ＰＤＵ）の段階で、特定のユーザプレーン信号をマクロセル基地局１へ振り分ける。
【００５１】
なお、制御プレーンでのＵＥ３のサービング基地局（Serving eNodeB（evolved Node B））としては、例えば、スモールセル基地局２が挙げられる。この場合、ＵＥ３宛ての制御プレーン信号は、スモールセル基地局２から該ＵＥ３に無線送信される。本実施例１では、制御プレーンでのＵＥ３のサービング基地局の一例として、スモールセル基地局２を挙げて説明する。
【００５２】
次に、図５および図６を参照して実施例１に係る処理手順を説明する。図５は、ＵＥ３が最初にスモールセル基地局２（SCeNB）に接続する場合の処理手順を示している。図６は、ＵＥ３が最初にマクロセル基地局１（MeNB）に接続する場合の処理手順を示している。
【００５３】
はじめに図５を参照して、ＵＥ３が最初にスモールセル基地局２（SCeNB）に接続する場合の処理手順を説明する。
【００５４】
（ステップＳＰ１）ＵＥ３は、スモールセル基地局２（SCeNB）に“Attach”を行う。
【００５５】
（ステップＳＰ２）Ｓ−ＧＷ５は、ＵＥ３宛てのユーザプレーン信号の全てを、Ｓ１−Ｕインタフェースを介してスモールセル基地局２（SCeNB）に送信する。
【００５６】
（ステップＳＰ３）スモールセル基地局２（SCeNB）は、Ｓ−ＧＷ５からＳ１−Ｕインタフェースを介して受信したＵＥ３宛てのユーザプレーン信号のうち、ＶｏＩＰ信号をマクロセル基地局１（MeNB）へ送信する。
【００５７】
（ステップＳＰ４）スモールセル基地局２（SCeNB）は、Ｓ−ＧＷ５からＳ１−Ｕインタフェースを介して受信したＵＥ３宛てのユーザプレーン信号のうち、ＶｏＩＰ信号以外のユーザプレーン信号を該ＵＥ３に無線送信する。
【００５８】
（ステップＳＰ５）マクロセル基地局１（MeNB）は、スモールセル基地局２（SCeNB）から受信したＵＥ３宛てのＶｏＩＰ信号を該ＵＥ３に無線送信する。
【００５９】
次に図６を参照して、ＵＥ３が最初にマクロセル基地局１（MeNB）に接続する場合の処理手順を説明する。
【００６０】
（ステップＳＰ１１）ＵＥ３は、マクロセル基地局１（MeNB）に“Attach”を行う。
【００６１】
（ステップＳＰ１２）マクロセル基地局１（MeNB）は、スモールセル基地局２（SCeNB）に対して、ＵＥ３のハンドオーバを行う。
【００６２】
（ステップＳＰ１３）Ｓ−ＧＷ５は、ＵＥ３宛てのユーザプレーン信号の全てを、Ｓ１−Ｕインタフェースを介してスモールセル基地局２（SCeNB）に送信する。
【００６３】
（ステップＳＰ１４）スモールセル基地局２（SCeNB）は、Ｓ−ＧＷ５からＳ１−Ｕインタフェースを介して受信したＵＥ３宛てのユーザプレーン信号のうち、ＶｏＩＰ信号をマクロセル基地局１（MeNB）へ送信する。
【００６４】
（ステップＳＰ１５）スモールセル基地局２（SCeNB）は、Ｓ−ＧＷ５からＳ１−Ｕインタフェースを介して受信したＵＥ３宛てのユーザプレーン信号のうち、ＶｏＩＰ信号以外のユーザプレーン信号を該ＵＥ３に無線送信する。
【００６５】
（ステップＳＰ１６）マクロセル基地局１（MeNB）は、スモールセル基地局２（SCeNB）から受信したＵＥ３宛てのＶｏＩＰ信号を該ＵＥ３に無線送信する。
【００６６】
本実施例１によれば、ＵＥ３宛てのユーザプレーン信号のうち、特定のユーザプレーン信号はマクロセル基地局１から該ＵＥ３へ無線送信され、該特定のユーザプレーン信号以外のユーザプレーン信号はスモールセル基地局２から該ＵＥ３へ無線送信される。これにより、マクロセル基地局１にかかる負荷を低減できるという効果が得られる。
【００６７】
本実施例１によれば、同一のＵＥ３に対し、ＱｏＳに応じて、ユーザプレーン信号を送信する基地局を選択することが可能となる。
【００６８】
本実施例１によれば、Ｓ−ＧＷ５は従来のままでよく、Ｓ−ＧＷ５に対する影響がない。例えば、本実施例１とは異なる構成として、Ｓ−ＧＷ５が、ＵＥ３宛てのユーザプレーン信号のうち、特定のユーザプレーン信号をマクロセル基地局１へ、該特定のユーザプレーン信号以外のユーザプレーン信号をスモールセル基地局２へ、それぞれ振り分けることが考えられる。この場合、Ｓ−ＧＷ５に対して、ユーザプレーン信号のルーティング機能およびＳ−ＧＷ５と基地局１、２間の「Path switch」機能の追加が必要となるが、本実施例１によれば、そのようなＳ−ＧＷ５の機能追加は必要ない。
【００６９】
本実施例１によれば、ＵＥ３宛てのユーザプレーン信号のうち、特定のユーザプレーン信号のみがスモールセル基地局２からマクロセル基地局１へ送信される。図１２の従来の無線通信システムの構成例では、ＵＥ宛てのユーザプレーン信号の全てをマクロセル基地局１からスモールセル基地局２へ送信していた。これに対して本実施例１では、ＵＥ３宛てのユーザプレーン信号のうち、特定のユーザプレーン信号（例えばＶｏＩＰ信号）のみがスモールセル基地局２からマクロセル基地局１へ送信されるので、スモールセル基地局２とマクロセル基地局１間の伝送能力の要求が緩和される効果が得られる。例えば、ＶｏＩＰ信号は動画データなどに比べるとデータ量が少量であるので、その効果は多きい。
【００７０】
なお、本実施例１において、ＵＥ３の「dual connectivity」とは、ＵＥ３が、「C-plane connection」をスモールセル基地局２（SCeNB）と維持し、且つ、「U-plane connection」をマクロセル基地局１（MeNB）およびスモールセル基地局２（SCeNB）の両方と同時に維持することを指す。
【００７１】
上述した実施例１の説明では、下り方向（基地局からＵＥへの方向）のユーザプレーン信号の流れを示したが、上り方向（ＵＥから基地局への方向）のユーザプレーン信号についても同様に適用可能である。
【００７２】
例えば、図４に対応する上り方向のユーザプレーン信号の流れを説明する。ＵＥ３は、ＶｏＩＰ信号をマクロセル基地局１に無線送信する。次いで、マクロセル基地局１は、ＵＥ３から受信したＶｏＩＰ信号をスモールセル基地局２に送信する。次いで、スモールセル基地局２は、マクロセル基地局１から受信したＶｏＩＰ信号を、Ｓ１−Ｕインタフェースを介してＳ−ＧＷ５へ送信する。また、ＵＥ３は、ＶｏＩＰ信号以外のユーザプレーン信号をスモールセル基地局２へ無線送信する。次いで、スモールセル基地局２は、ＵＥ３から受信したＶｏＩＰ信号以外のユーザプレーン信号を、Ｓ１−Ｕインタフェースを介してＳ−ＧＷ５へ送信する。
【００７３】
上り方向と下り方向の両方向に実施例１を適用する場合、マクロセル基地局１とスモールセル基地局２間では、ユーザプレーンにおいて双方向で、例えばＱｏＳに基づいたデータ転送を行う。
【実施例２】
【００７４】
実施例２では、上述した実施例１の無線通信システムの構成例と、図７に示される無線通信システムの構成例とを組み合わせる。図７は、本実施形態に係る無線通信システムの実施例２の動作を説明するための説明図である。図８および図９は、図７に示される無線通信システムの処理の流れを示すシーケンスチャートである。
【００７５】
初めに、図７を参照して信号の流れを説明する。図７において、ＵＥ３は、スモールセルに在圏しており、マクロセル基地局１及びスモールセル基地局２の両方に無線接続できる。Ｓ−ＧＷ５は、ＵＥ３宛てのユーザプレーン信号の全てを、Ｓ１−Ｕインタフェースを介してマクロセル基地局１に送信する。
【００７６】
マクロセル基地局１は、Ｓ−ＧＷ５からＳ１−Ｕインタフェースを介して受信したＵＥ３宛てのユーザプレーン信号のうち、特定のユーザプレーン信号以外のユーザプレーン信号をスモールセル基地局２へ送信する。該特定のユーザプレーン信号は上述した実施例１と同じである。
【００７７】
スモールセル基地局２は、マクロセル基地局１から受信したＵＥ３宛てのユーザプレーン信号（特定のユーザプレーン信号以外のユーザプレーン信号）を該ＵＥ３に無線送信する。マクロセル基地局１は、Ｓ−ＧＷ５からＳ１−Ｕインタフェースを介して受信したＵＥ３宛てのユーザプレーン信号のうち、特定のユーザプレーン信号を該ＵＥ３に無線送信する。
【００７８】
本実施例２では、特定のユーザプレーン信号の一例として、ＶｏＩＰ信号を挙げて説明する。
【００７９】
図７に示されるように、マクロセル基地局１は、Ｓ−ＧＷ５からＳ１−Ｕインタフェースを介して受信したＵＥ３宛てのユーザプレーン信号のうち、ＶｏＩＰ信号以外のユーザプレーン信号をスモールセル基地局２へ送信する。スモールセル基地局２は、マクロセル基地局１から受信したＵＥ３宛てのユーザプレーン信号（ＶｏＩＰ信号以外のユーザプレーン信号）を該ＵＥ３に無線送信する。マクロセル基地局１は、Ｓ−ＧＷ５からＳ１−Ｕインタフェースを介して受信したＵＥ３宛てのユーザプレーン信号のうち、ＶｏＩＰ信号を該ＵＥ３に無線送信する。
【００８０】
マクロセル基地局１とスモールセル基地局２の間のプロトコル構成としては、以下に示すプロトコル構成例２−１、２−２、２−３が挙げられる。
【００８１】
（プロトコル構成例２−１）
マクロセル基地局１のＰＤＣＰレイヤへの入力データ（ＳＤＵ）の段階で、特定のユーザプレーン信号をスモールセル基地局２へ振り分ける。
【００８２】
（プロトコル構成例２−２）
マクロセル基地局１のＰＤＣＰレイヤからの出力データ（ＰＤＵ）の段階で、特定のユーザプレーン信号をスモールセル基地局２へ振り分ける。図７には、このプロトコル構成例２−２を示している。
【００８３】
（プロトコル構成例２−３）
マクロセル基地局１のＲＬＣレイヤからの出力データ（ＰＤＵ）の段階で、特定のユーザプレーン信号をスモールセル基地局２へ振り分ける。
【００８４】
なお、図７に示される無線通信システムの構成例において、制御プレーンでのＵＥ３のサービング基地局としては、例えば、マクロセル基地局１が挙げられる。この場合、ＵＥ３宛ての制御プレーン信号は、マクロセル基地局１から該ＵＥ３に無線送信される。本実施例２では、図７に示される無線通信システムの構成例において、制御プレーンでのＵＥ３のサービング基地局の一例として、マクロセル基地局１を挙げて説明する。
【００８５】
次に、図８および図９を参照して図７に示される無線通信システムに係る処理手順を説明する。図８は、ＵＥ３が最初にスモールセル基地局２（SCeNB）に接続する場合の処理手順を示している。図９は、ＵＥ３が最初にマクロセル基地局１（MeNB）に接続する場合の処理手順を示している。
【００８６】
はじめに図８を参照して、ＵＥ３が最初にスモールセル基地局２（SCeNB）に接続する場合の処理手順を説明する。
【００８７】
（ステップＳＰ２１）ＵＥ３は、スモールセル基地局２（SCeNB）に“Attach”を行う。
【００８８】
（ステップＳＰ２２）スモールセル基地局２（SCeNB）は、マクロセル基地局１（MeNB）に対して、ＵＥ３のハンドオーバを行う。
【００８９】
（ステップＳＰ２３）Ｓ−ＧＷ５は、ＵＥ３宛てのユーザプレーン信号の全てを、Ｓ１−Ｕインタフェースを介してマクロセル基地局１（MeNB）に送信する。
【００９０】
（ステップＳＰ２４）マクロセル基地局１（MeNB）は、Ｓ−ＧＷ５からＳ１−Ｕインタフェースを介して受信したＵＥ３宛てのユーザプレーン信号のうち、ＶｏＩＰ信号を該ＵＥ３に無線送信する。
【００９１】
（ステップＳＰ２５）マクロセル基地局１（MeNB）は、Ｓ−ＧＷ５からＳ１−Ｕインタフェースを介して受信したＵＥ３宛てのユーザプレーン信号のうち、ＶｏＩＰ信号以外のユーザプレーン信号をスモールセル基地局２（SCeNB）に送信する。
【００９２】
（ステップＳＰ２６）スモールセル基地局２（SCeNB）は、マクロセル基地局１（MeNB）から受信したＵＥ３宛てのＶｏＩＰ信号以外のユーザプレーン信号を該ＵＥ３に無線送信する。
【００９３】
次に図９を参照して、ＵＥ３が最初にマクロセル基地局１（MeNB）に接続する場合の処理手順を説明する。
【００９４】
（ステップＳＰ３１）ＵＥ３は、マクロセル基地局１（MeNB）に“Attach”を行う。
【００９５】
（ステップＳＰ３２）Ｓ−ＧＷ５は、ＵＥ３宛てのユーザプレーン信号の全てを、Ｓ１−Ｕインタフェースを介してマクロセル基地局１（MeNB）に送信する。
【００９６】
（ステップＳＰ３３）マクロセル基地局１（MeNB）は、Ｓ−ＧＷ５からＳ１−Ｕインタフェースを介して受信したＵＥ３宛てのユーザプレーン信号のうち、ＶｏＩＰ信号を該ＵＥ３に無線送信する。
【００９７】
（ステップＳＰ３４）マクロセル基地局１（MeNB）は、Ｓ−ＧＷ５からＳ１−Ｕインタフェースを介して受信したＵＥ３宛てのユーザプレーン信号のうち、ＶｏＩＰ信号以外のユーザプレーン信号をスモールセル基地局２（SCeNB）に送信する。
【００９８】
（ステップＳＰ３５）スモールセル基地局２（SCeNB）は、マクロセル基地局１（MeNB）から受信したＵＥ３宛てのＶｏＩＰ信号以外のユーザプレーン信号を該ＵＥ３に無線送信する。
【００９９】
本実施例２において、実施例１の無線通信システムの構成例と、図７に示される無線通信システムの構成例とのいずれを使用するのかは、所定の適用条件に従う。例えば、ＵＥ３の状態に基づいて、実施例１の無線通信システムの構成例または図７に示される無線通信システムの構成例のいずれを使用するのかを判断することが挙げられる。ＵＥ３の状態としては、例えば、ＵＥ３の移動の状態が挙げられる。例えば、ＵＥ３の移動を判定するための移動判定条件を定め、該移動判定条件によってＵＥ３の移動を判定することが挙げられる。
【０１００】
次に図１０を参照して、実施例１の無線通信システムの構成例と、図７に示される無線通信システムの構成例とを組み合わせた動作の一例を説明する。図１０は、本実施形態に係る無線通信システムの実施例２の処理のフローチャートである。この図１０のフローチャートでは、ＵＥ３から“Attach”された基地局が、該ＵＥ３の移動の状態に応じて、実施例１の無線通信システムの構成例と、図７に示される無線通信システムの構成例とのいずれを使用するのかを決定する。
【０１０１】
（ステップＳＰ１０１）ＵＥ３の移動を判断する。
【０１０２】
（ステップＳＰ１０２）ステップＳＰ１０１の判断の結果、移動である場合にはステップＳＰ１０３に進み、そうで無い場合にはステップＳＰ１０４に進む。
【０１０３】
（ステップＳＰ１０３）当該ＵＥ３（移動と判断されたＵＥ３）に関して、Ｓ１−Ｕインタフェースの接続先をマクロセル基地局１に決定する。この場合、図７に示される無線通信システムの構成例を使用する。マクロセル基地局１は、スモールセル基地局２に比べて、移動しているＵＥ３に対して良い通信品質を提供可能であると考えられる。
【０１０４】
（ステップＳＰ１０４）当該ＵＥ３（移動と判断されなかったＵＥ３）に関して、Ｓ１−Ｕインタフェースの接続先をスモールセル基地局２に決定する。この場合、実施例１の無線通信システムの構成例（図４）を使用する。
【０１０５】
本実施例２によれば、ＵＥ３宛てのユーザプレーン信号のうち、特定のユーザプレーン信号はマクロセル基地局１から該ＵＥ３へ無線送信され、該特定のユーザプレーン信号以外のユーザプレーン信号はスモールセル基地局２から該ＵＥ３へ無線送信される。これにより、マクロセル基地局１にかかる負荷を低減できるという効果が得られる。
【０１０６】
本実施例２によれば、同一のＵＥ３に対し、ＱｏＳに応じて、ユーザプレーン信号を送信する基地局を選択することが可能となる。
【０１０７】
本実施例２によれば、上述した実施例１と同様に、Ｓ−ＧＷ５は従来のままでよく、Ｓ−ＧＷ５に対する影響がない。
【０１０８】
本実施例２によれば、例えば、移動と判断されたＵＥ３（非static UE）に対して図７に示される無線通信システムの構成例を使用し、一方、移動と判断されなかったＵＥ３（static UE）に対して実施例１の無線通信システムの構成例（図４）を使用する。したがって、非static UE宛ての全ユーザプレーン信号はＳ−ＧＷ５とマクロセル基地局１間のＳ１−Ｕインタフェースで伝送され、一方、static UE宛ての全ユーザプレーン信号はＳ−ＧＷ５とスモールセル基地局２間のＳ１−Ｕインタフェースで伝送される。図１２の従来の無線通信システムの構成例では、Ｓ−ＧＷ５とマクロセル基地局１間のＳ１−Ｕインタフェースに、ユーザプレーンのトラフィックが集中していた。これに対して本実施例２では、Ｓ−ＧＷ５とマクロセル基地局１間のＳ１−Ｕインタフェースと、Ｓ−ＧＷ５とスモールセル基地局２間のＳ１−Ｕインタフェースとに、ユーザプレーンのトラフィックが分散されるので、Ｓ１−Ｕインタフェースに対する伝送能力の要求が緩和される効果が得られる。
【０１０９】
本実施例２によれば、例えば、static UEに対して実施例１の無線通信システムの構成例（図４）を使用する。したがって、static UE宛てのユーザプレーン信号のうち、特定のユーザプレーン信号のみがスモールセル基地局２からマクロセル基地局１へ送信される。図１２の従来の無線通信システムの構成例では、ＵＥ宛てのユーザプレーン信号の全てをマクロセル基地局１からスモールセル基地局２へ送信していた。これに対して本実施例２では、static UE宛てのユーザプレーン信号のうち、特定のユーザプレーン信号（例えばＶｏＩＰ信号）のみがスモールセル基地局２からマクロセル基地局１へ送信されるので、スモールセル基地局２とマクロセル基地局１間の伝送能力の要求が緩和される効果が得られる。例えば、ＶｏＩＰ信号は動画データなどに比べるとデータ量が少量であるので、その効果は多きい。
【０１１０】
なお、本実施例２において、static UEの「dual connectivity」とは、ＵＥ３が、「C-plane connection」をスモールセル基地局２（SCeNB）と維持し、且つ、「U-plane connection」をマクロセル基地局１（MeNB）およびスモールセル基地局２（SCeNB）の両方と同時に維持することを指す。
【０１１１】
また、本実施例２において、非static UEの「dual connectivity」とは、ＵＥ３が、「C-plane connection」をマクロセル基地局１（MeNB）と維持し、且つ、「U-plane connection」をマクロセル基地局１（MeNB）およびスモールセル基地局２（SCeNB）の両方と同時に維持することを指す。
【０１１２】
上述した実施例２の説明では、下り方向（基地局からＵＥへの方向）のユーザプレーン信号の流れを示したが、上り方向（ＵＥから基地局への方向）のユーザプレーン信号についても同様に適用可能である。
【０１１３】
例えば、図７に対応する上り方向のユーザプレーン信号の流れを説明する。ＵＥ３は、ＶｏＩＰ信号をマクロセル基地局１に無線送信する。次いで、マクロセル基地局１は、ＵＥ３から受信したＶｏＩＰ信号を、Ｓ１−Ｕインタフェースを介してＳ−ＧＷ５へ送信する。また、ＵＥ３は、ＶｏＩＰ信号以外のユーザプレーン信号をスモールセル基地局２へ無線送信する。次いで、スモールセル基地局２は、ＵＥ３から受信したＶｏＩＰ信号以外のユーザプレーン信号をマクロセル基地局１に送信する。次いで、マクロセル基地局１は、スモールセル基地局２から受信したＶｏＩＰ信号以外のユーザプレーン信号を、Ｓ１−Ｕインタフェースを介してＳ−ＧＷ５へ送信する。
【０１１４】
上り方向と下り方向の両方向に実施例２を適用する場合、マクロセル基地局１とスモールセル基地局２間では、ユーザプレーンにおいて双方向で、例えばＱｏＳに基づいたデータ転送を行う。
【０１１５】
以上、本発明の実施形態について図面を参照して詳述してきたが、具体的な構成はこの実施形態に限られるものではなく、本発明の要旨を逸脱しない範囲の設計変更等も含まれる。
【０１１６】
なお、マクロセル基地局が周波数分割複信（Frequency Division Duplex：ＦＤＤ）方式であり、スモールセル基地局が時分割複信（Time Division Duplex：ＴＤＤ）方式である場合には、ＵＥはマクロセル基地局とスモールセル基地局とから同時にサブフレーム（Subframe）を受信しなくてもよいので、キャリアアグリゲーション（Carrier Aggregation：CA）に非対応のＵＥ（Non-CA UE）に対しても、上述の実施形態を適用可能である。この場合、ＦＤＤのマクロセル基地局がサブフレーム（Subframe）を送信するタイミングは、ＴＤＤのスモールセル基地局における上りリンク（端末から基地局に向かう方向のリンク）のサブフレームのタイミングとする。ＴＤＤのスモールセル基地局がサブフレームを送信するタイミングは、下りリンク（基地局から端末に向かう方向のリンク）のサブフレームのタイミングである。また、該サブフレーム送信タイミングについて予めＵＥ仕様として決めておけば、ＵＥに対して特にシグナリングで該サブフレーム送信タイミングを通知しなくてもよい。
【０１１７】
また、上述した実施形態では、無線通信方式の一例としてＬＴＥを挙げたが、他の無線通信方式にも同様に適用可能である。また、ＨｅｔＮｅｔ以外の無線通信ネットワークにも同様に適用可能である。
【０１１８】
また、上述した実施形態に係るマクロセルとスモールセルは、それぞれ異なる周波数帯を利用してもよく、又は、同一周波数帯を利用してもよく、マクロセルとスモールセルのカバレッジが重複すればよい。例えば、同一周波数帯に送信電力クラスの異なる複数のセルを設ける場合であってもよい。また、上述した実施形態は、カバレッジが重複する第１のセルと第２のセルに対して適用可能であり、該第１のセルと該第２のセルのカバレッジの大きさは同じでもよく又は異なってもよい。
【符号の説明】
【０１１９】
１…マクロセル基地局、２…スモールセル基地局、３…ＵＥ、４…コアネットワーク、５…Ｓ−ＧＷ、６…ＭＭＥ、１１…コアネットワーク通信部、１２，３１…無線通信部、１３，３２…制御部、１４，３３…記憶部、１５…基地局間通信部、３４…操作部、３５…表示部
【図１】
2014220706.tif 000003
【図２】
2014220706.tif 000004
【図３】
2014220706.tif 000005
【図４】
2014220706.tif 000006
【図５】
2014220706.tif 000007
【図６】
2014220706.tif 000008
【図７】
2014220706.tif 000009
【図８】
2014220706.tif 000010
【図９】
2014220706.tif 000011
【図１０】
2014220706.tif 000012
【図１１】
2014220706.tif 000013
【図１２】
2014220706.tif 000014